(57)【要約】  【課題】  電子機器の操作を案内する音声ガイドを適切にかつ分かり易く行う。  【解決手段】  電子機器１００のＲＯＭ１１５に、動作状態を切換えた際に、いかなる動作を実行するものであるかを音声で報知するためのガイドデータを予め複数記憶させておき、リモートコントローラ１２１あるいは操作入力部１１９の操作によって、動作状態が切換った際に、いかなるガイド文が該当するかをシステムコントローラ１０６が判断して、ＲＯＭ１１５から読み出し、音声信号処理部１２２で処理して、音声信号に変換し、Ａ／Ｖエンコーダ１１１を介して音声出力部１１３から音声として出力するように構成した。また、ガイド文を報知する声の種類を複数の種類からユーザが選択できるように構成した。【選択図】  図３
2005338665.tif 000002
【特許請求の範囲】
【請求項１】
複数の動作状態のいずれかを選択的に設定して動作状態を変更する動作設定手段と、
この動作設定手段による動作状態の変更に対応した音声ガイド文を構成する複数のデータが予め記憶された記憶手段と、
前記動作設定手段によって動作状態が変更された際に、いかなる動作状態からいかなる動作状態へと変更されたかを識別して、その識別結果に基づいて前記記憶手段に記憶された音声ガイド文を特定して読み出す制御手段と、
前記読み出されたデータを音声信号に変換して音声として出力する音声ガイド出力手段と、
を具備したことを特徴とする電子機器。
【請求項２】
前記音声ガイドデータは、同じガイド文のデータが異なる声で出力されるデータとして複数、前記記憶手段に記憶されており、前記制御手段は、前記ガイド文を予め設定された種類の声で特定するものであることを特徴とする請求項１に記載の電子機器。
【請求項３】
前記制御手段は、前記データを前記ガイド文毎に予め設定された種類の声で特定するものであることを特徴とする請求項２に記載の電子機器。
【請求項４】
さらに前記データを、外部から取り込んで前記記憶手段に記憶させるデータ取得手段を備えたことを特徴とする請求項１乃至３のいずれかに記載の電子機器。
【発明の詳細な説明】
【技術分野】
【０００１】
この発明は、ユーザが電子機器を操作するための操作入力部あるいはリモートコントローラを操作した際に、電子機器がいかなる動作をするかということを音声で報知するようにした電子機器に関する。
【背景技術】
【０００２】
昨今の民生用電子機器においては、その機能あるいは動作の基準となる標準規格が更新されたり、新たな規格が打ち出されたりすることは目新しいことではなく、その対応のために機能が追加されたり、あるいは全く新規な機能が登場してきたりしている。
【０００３】
例えば、地上波テレビジョン放送においては、従前のアナログ放送に加えて、一部の地域で地上波デジタル放送も開始され、２０１１年には地上波放送が全てデジタル放送に切換わることが決まっている。デジタル放送では、通常の番組の放送とは別に、データ放送あるいは音声を主体とした放送が行なわれ、さらに電話回線を用いて、放送事業者に対してユーザが応答を行う双方向サービスという新規な機能も提供されている。
【０００４】
さらにまた、民生用電子機器の分野においては、機器本来の機能に加えて、元々他の機器で提供されている機能をも取り込んで、いわゆる商品の複合化を図った製品も市販されてきている。
【０００５】
例えば、放送を視聴するテレビジョン受像機に、ＤＶＤ（Digital Versatile Disk）レコーダとか、あるいはＨＤＤ（Hard Disk Drive）を組み込んで、放送番組の録画及び再生を可能にした製品であるとか、あるいはテレビジョン受像機にパソコンのインターネットアクセス機能を付加した製品等が市場に投入されている。
【０００６】
ユーザは商品を購入後、添付されている操作マニュアルによってその電子機器がいかなる機能を備え、それを実行させるにはいかなる操作をすればよいかを習得する必要があるが、機能の多様化に伴って、マニュアルの頁数も膨大なものになってきており、操作手順の全てを覚えることは至難であると言える。
【０００７】
従来、ユーザが電子機器の操作を行う際に、その操作を補助して操作性を改善しようとする試みもなされてきているが、必ずしも充分なものであるとはいえなかった。
【０００８】
例えば、特許文献１には、リモートコントローラの操作ボタンの機能を、音声で報知するようにした提案がなされている。すなわち、ユーザが操作ボタンに手を触れた際に、それを検出してそのボタンの機能がいかなるものであるかをリモートコントローラに内蔵されたスピーカから音声として出力するように構成したものである。
【０００９】
しかしながら、この特許文献では、リモートコントローラのボタンの機能を報知したり、あるいはこのリモートコントローラで制御される機器の特定の機能を実行あるいは設定する際の操作ボタンの操作手順を報知するもので、その報知内容は、被制御機器の状態あるいは動作に関係なく発せられるものである。
【００１０】
例えば、同じ操作ボタンでも、機器の動作状態によって異なった機能を持つように設定される操作ボタンもあるが、特許文献１のリモートコントローラでは、機器の動作状態とは関係なくガイダンスを報知するものであり、各ステップ毎にガイダンスを報知する場合、機器の実際の動作状態とずれたものが報知されることもあり、ユーザはガイダンスの分かえって混乱を来たすことになる。
【００１１】
例えば、録画予約をデータを順次送信するようにして行う場合、リモートコントローラは予約データが正しく送信され、機器側で受け入れられたことを確認する手立てを持たないため、伝送受信されなかった場合には、以降のガイダンスが間違ったものとなる。
【特許文献１】特開２００２−２４７６７０号公報
【発明の開示】
【発明が解決しようとする課題】
【００１２】
以上のように、従来、リモートコントローラの操作ボタンの機能あるいは、制御しようとする機器の特定の機能を実行させるための操作ボタンの操作手順をユーザに音声で知らしむるようにした提案がなされていたが、この提案の場合<制御しようとする機器の実際の動作状態に関係なくガイダンスを報知するものであり、間違った内容のガイダンスが行われることもあり、使い勝手の点でさらに改善の余地があった。
【００１３】
本発明は、以上の点に考慮してなされたものであり、電子機器の内部に音声ガイドデータを保存しておき、機器の動作状態を変更する際に、それに合せてデータを読み出して、音声として出力するものであり、内容の間違ったガイダンスが行われることを防止することができるようにした電子機器を提供することを目的とする。
【課題を解決するための手段】
【００１４】
本発明の電子機器は、複数の動作状態のいずれかを選択的に設定して動作状態を変更する動作設定手段と、この動作設定手段による動作状態の変更に対応した音声ガイド文を構成する複数のデータが予め記憶された記憶手段と、前記動作設定手段によって動作状態が変更された際に、いかなる動作状態からいかなる動作状態へと変更されたかを識別して、その識別結果に基づいて前記記憶手段に記憶された音声ガイド文を特定して読み出す制御手段と、前記読み出されたデータを音声信号に変換して音声として出力する音声ガイド出力手段と、を具備したことを特徴とする。
【発明の効果】
【００１５】
本発明によれば、動作状態を切換えた際に、いかなる動作状態からいかなる動作状態に切換えられたかを制御手段で識別し、それに基づいて音声ガイド文を特定して、読み出して音声として出力するものであるから、動作状態に即した正確な音声ガイドを実行することができるものである。
【発明を実施するための最良の形態】
【００１６】
以下、図面を参照して、この発明の電子機器を詳細に説明する。図１は、この発明を適用したテレビジョン受像機１００の実施の一形態を示す回路ブロック図である。
【００１７】
例えば、デジタル地上波放送の電波をキャッチするアンテナ１０１からの高周波信号が入力端子１０２を介してチューナ１０３に供給される。チューナ１０３では所望のチャンネルを選局して受信信号を得てこれを復調部１０４に出力する。チューナ１０３によるチャンネル選局処理は、バス１０５を介して接続されるシステムコントローラ１０６からの制御信号によって実行される。
【００１８】
復調部１０４ではチューナ１０３から供給される受信信号に対して復調処理、誤り訂正処理等の処理を施して、多重ストリーム信号としてデマルチプレクサ１０７に出力する。
【００１９】
デマルチプレクサ１０７は、システムコントローラ１０６の制御によってＭＰＥＧ（Moving Picture Experts Group）２の多重ストリームから所望の番組のパケット（ＰＥＳ：Packetized Elementary Stream）を分離抽出してデコーダ１０８に出力する。デコーダ１０８は、システムコントローラ１０６の制御の下に、入力される番組の圧縮符号化映像データをＭＰＥＧ２規格に基づいて復号処理し、非圧縮のデジタル映像データに変換して合成器１０９に出力する。  
また、音声データもデコーダ１０８で復号されて、非圧縮の音声データに変換されて合成器１０９に出力される。
【００２０】
合成器１０９には、システムコントローラ１０６の制御によってグラフィックプロセッサ１１０で生成されるＧＵＩ（Graphical User Interface）形式のＯＳＤ（On Screen Display）映像データも加えられ、ここでデコーダ１０８から供給される映像データにＯＳＤ映像データが重畳されてＡ／Ｖ（Audio/Visual）エンコーダ１１１に供給される。
【００２１】
Ａ／Ｖエンコーダ１１１では、映像データ及び音声データをＤ／Ａ（Digital/Analogue）変換し、例えばＮＴＳＣ（National Television System Committee）方式のベースバンド映像信号と音声信号を構築して出力する。Ａ／Ｖエンコーダ１１１から出力される映像信号は例えば液晶ディスプレイ等のディスプレイ１１２に供給されて表示され、音声信号はスピーカ等の音声出力部１１３から出力される。
【００２２】
システムコントローラ１０６は、ＣＰＵ（Central Processing Unit）で構成され、システム制御及びＯＳ(Operating System)制御を実行する。このためシステムコントローラ１０６に接続されたＲＡＭ(Random Access Memory)１１４には、システム制御ソフト、ＧＵＩソフト、番組履歴管理ソフト、録画制御ソフト等が記憶される。
【００２３】
また、システムコントローラ１０６には、バス１０５を介してＲＯＭ(Read Only Memory)１１５も接続されており、この ＲＯＭ１１５に音声ガイド用のデータが記憶される他、バス１０５を介したネットワーク上の制御を始めとする処理プログラム・コードが格納され、さらにグラフィックプロセッサ１１０でグラフィックとして生成される記号、文字、キャラクタ等のデータ、あるいはＲＡＭ１１４に展開されるソフトも記憶されている。ＲＯＭ１１５は例えば、書換え可能な不揮発性メモリで構成され、データの書込みも可能であり、後述する外部から取り込まれるガイド用音声データも記憶される。
【００２４】
さらに、バス１０５にＩ／Ｆ（Interface）コントローラ１１６を介して蓄積部１１７が接続されている。蓄積部１１７は、例えばＨＤＤ（Hard Disk Drive）で構成され、システムコントローラ１０６の制御の下、視聴中の放送番組を構成するＭＰＥＧ２のＰＥＳ（Elementary Stream）及び付加データとしての番組情報ＳＩ／ＰＳＩ（Service Information／Program Specific Information）を含むＭＰＥＧ２−ＴＳ（Transport Stream）が記録されるように構成される。
【００２５】
さらにまた、バス１０５にキーボードＩ／Ｆ１１８を介して、操作入力部１１９が接続され、ユーザの操作によって、放送番組の選局、放送番組の録画再生などテレビジョン受像機１００の動作、機能の設定及び調整を実行することが可能である。
【００２６】
さらにまた、バス１０５に赤外線受光部１２０が接続され、リモートコントローラ１２１からのリモートコントロール信号（リモコン信号）を受けてコード信号に変換してバス１０５を介してシステムコントローラ１０６に送出する。システムコントローラ１０６は、コード信号に応じて、テレビジョン受像機１００の動作、機能の設定及び調整を実行する。
【００２７】
さらに、バス１０５には、音声信号処理部１２２が接続されており、音声処理部１２２は、システムコンローラ１０６の制御の下、ＲＯＭ１１５に記憶されたガイド用音声データをバス１０５を介して受け、これを音声信号に復元して、Ａ／Ｖエンコーダ１１１に送り、音声出力部１１３から音声として出力させる。
【００２８】
さらに、音声処理部１２２には、マイクロフォン１２３が接続されており、ユーザがガイド用音声を録音する際に、このマイクロフォン１２３から入力される音声信号をデジタル信号に変換し、さらにシステムコントローラ１０６の制御の下、圧縮処理を施して、バス１０５を介してＲＯＭ１１５に書き込むように動作する。
【００２９】
本発明では、ガイド用音声信号は、さらにマルチメディアとインターネットを介して入手可能なように構成されており、この目的のため、バス１０５にはカードＩ／Ｆ１２４が接続されている。カードＩ／Ｆ１２４は、例えば、機構的にはカードスロットとして構成され、メモリカード１２５が装着される。メモリカード１２５は、例えばフラッシュメモリ等の半導体不揮発性メモリで構成され、ガイド用音声データが圧縮された形態で記憶されている。
【００３０】
さらに、バス１０５には通信Ｉ／Ｆ１２６が接続されている。通信Ｉ／Ｆ１２６は、例えば電話回線を介してＴＣＰ／ＩＰ（Transmission Control Protocol/Internet Protocol）に準拠した通信を行うことが可能なモデムで構成されており、通信端子１２７を介してインターネット１２８に接続され、このインターネット１２８を介してサーバ１２９にアクセス可能である。この目的のため、ＲＯＭ１１５には、アプリケーションソフトとしてのＨＴＭＬ（Hypertext Markup Language）ブラウザが蓄積されている。
【００３１】
以上のように構成されたテレビジョン受像機１００は、ユーザが操作入力部１１９を操作するかあるいは、リモートコントローラ１２１を操作することで、テレビジョン受像機１００としての基本的機能である放送番組の受信及び受信番組の映像のディスプレイ１１２での表示と、音声の音声出力部１１３からの出力を実行する他、放送番組の蓄積部１１７への蓄積（録画）と、蓄積部１１７からの読み出し及び提示（再生）を実行し、さらに、インターネット１２８への接続を実行するように構成されている。
【００３２】
図２は、以上のようなテレビジョン受像機１００の各機能を実行させるための操作ボタンを備えたリモートコントローラ１２１のボタン配列の一実施の形態を示す図である。
【００３３】
図２において、リモートコントローラ１２１は、テレビジョン受像機１００の電源を切換えるための電源ボタン２０１と、チャンネル番号等の数字データを入力するための数字ボタン２０２と、選局チャンネルを連続的にアップさせるかあるいはダウンさせるチャンネルアップ／ダウンボタン２０３と、音声出力部１１３から出力される音量を調整するための音量調整ボタン２０４を有し、さらに、例えばＧＵＩ画面等で選択項目にカーソルを合せる場合等に使われるカーソルボタン２０５と、例えばカーソルボタン２０５でカーソルを移動させた項目の選択を決定するため等に使われる決定ボタン２０６と、テレビジョン受像機１００の各種項目の設定を行うためのメニューをディスプレイ１１２に表示させるためのメニューボタン２０７と、ＥＰＧ（Electronic Program Guide）をディスプレイ１１２に表示させるための番組表ボタン２０８と、メニュー表示あるいは番組表表示を終了させるための終了ボタン２０９備える。これらのボタンはテレビジョン受像機１００の本来の機能である番組視聴に関するものである。
【００３４】
さらにリモートコントローラ１２１は、インターネットにアクセスする際に操作するボタン２１０を備える。  
さらにリモートコントローラ１２１は、蓄積部１１７への録画／再生に関するボタンを備えており、一時停止ボタン２１１、停止ボタン２１２、再生ボタン２１３及び録画ボタン２１４を備え、さらに、早戻しボタン２１５、早送りボタン２１６、逆スキップボタン２１７、スキップボタン２１８、逆スローボタン２１９とスローボタン２２０を備える。
【００３５】
テレビジョン受像機１００で所望の番組を視聴するには、例えば数字ボタン２０２の視聴したい番組を放送している放送チャンネル番号に対応する数字ボタンを操作するか、またはチャンネルアップ／ダウンボタン２０３を操作する。
【００３６】
それを受けて、システムコントローラ１０６は、チューナ１０３に選局信号を送って、番組の選局を実行する。さらに、チューナ１０３で受信された信号を復調部１０４で復調させてデマルチプレクサ１０７に出力させる。
【００３７】
さらに、システムコントローラ１０６は、デマルチプレクサ１０７を制御して、番組を構成するＰＥＳを抽出して、デコーダ１０８に導出させ、デコーダ１０８で復号して、非圧縮の映像データ及び音声データに変換して、Ａ／Ｖエンコーダ１１１を介してディスプレイ１１２で表示させると共に、音声出力部１１３で出力させる。それによって、番組の視聴が実行される。
【００３８】
番組の視聴を行っている状態において、音量を調整したい場合には、リモートコントローラ１２１の音量調整ボタン２０４を操作する。  
また、番組を録画したい場合には、リモートコントローラ１２１の録画ボタン２１４を操作する。それによって、システムコントローラ１０６は、チューナ１０３で受信している番組のＰＥＳとＳＩ／ＰＳＩを含むＭＰＥＧ２−ＴＳをデマルチプレクサ１０７から、バス１０５を介してＩ／Ｆコントローラ１１６に導出させて、蓄積部１１７に記録させる。
【００３９】
あるいはまた、リモートコントローラ１２１の番組表ボタン２０８を操作して、ＥＰＧ番組表をディスプレイ１１２に表示させて、録画したい番組を選択登録することで、録画番組を予約し、それによって予約した番組を録画することも可能である。
【００４０】
すなわち、リモートコントローラ１２１の番組表ボタン２０８が操作されると、システムコントローラ１０６は、デマルチプレクサ１０７でＭＰＥＧ２の多重ストリームからＳＩ／ＰＳＩを分離させ、それに基づきＥＰＧデータをデコードしてグラフィックプロセッサ１１０を駆使してＥＰＧ番組表を構築し、それを合成器１０９、Ａ／Ｖエンコーダ１１１を介してディスプレイ１１２に導出して表示させる。
【００４１】
ユーザは、ディスプレイ１１２に表示されたＥＰＧ番組表から、リモートコントローラ１２１のカーソルボタン２０５を操作して、録画したい番組にカーソルを移動させ、決定ボタン２０６を操作する。それを受けて、システムコントローラ１０６は、グラフィックプロセッサ１１０を駆使して、選択された番組を録画予約するか否かのメッセージを生成して、これをディスプレイ１１２に表示させてユーザに確認させる。ユーザが決定ボタンを操作することでその番組の録画予約が実行される。
【００４２】
システムコントローラ１０６は、予約した番組の放送時間に対応させて、チューナ１０３を制御し予約した番組を受信させ、さらにデマルチプレクサ１０７を制御してその番組のＰＥＳとＳＩ／ＰＳＩを含むＭＰＥＧ２−ＴＳを、バス１０５からＩ／Ｆコントローラ１１６に送って蓄積部１１７に記録させる。
【００４３】
さらに、録画した番組を再生する場合には、リモートコントローラ１２１の再生ボタン２１３を操作する。それによって、システムコントローラ１０６は、蓄積部１１７に記録されたＳＩ／ＰＳＩを読み出してデコードし、グラフィックプロセッサ１１０を駆使して録画されている番組タイトルのリストを生成して、合成器１０９からＡ／Ｖエンコーダ１１１を介してディスプレイ１１２に表示させる。
【００４４】
ユーザは表示された番組リストから、リモートコントローラ１２１のカーソルボタン２０５と決定ボタン２０６で再生したいタイトルを選択する。
【００４５】
それによって、システムコントローラ１０６は、選択された番組のＰＥＳを含むＭＰＥＧ２−ＴＳを蓄積部１１７から読み出して、Ｉ／Ｆコントローラ１１６からバス１０５を介してデマルチプレクサ１０７に送る。デマルチプレクサ１０７で番組のＰＥＳを抽出してデコーダ１０８に送り、ここで復号して、さらにＡ／Ｖエンコーダ１１１でテレビジョン信号にエンコードし、ディスプレイ１１２及び音声出力部１１３に送って、その番組を提示する。
【００４６】
さらに、インターネットに接続する場合には、リモートコントローラ１２１のインターネットボタン２１０を操作する。それによって、システムコントローラ１０６は、ＨＴＭＬブラウザを立ち上げ、ブラウザ画面をグラフィックプロセッサ１１０から、合成器１０９、Ａ／Ｖエンコーダ１１１を介してディスプレイ１１２に送って表示させると共に、通信Ｉ／Ｆ１２６を駆使して、インターネット１２８に接続する。
【００４７】
ディスプレイ１１２に表示されたブラウザ画面の選択項目を、リモートコントローラ１２１のカーソルボタン２０５と決定ボタン２０６で選択することで、サーバ１２９からウェブページのデータを取り込んでディスプレイ１１２に表示させることができる。
【００４８】
さて、本発明では、以上のように構成されたテレビジョン受像機１００において、リモートコントローラ１２１あるいは操作入力部１１９を操作した際に、音声によるガイドを行うものであるが、以下その詳細について説明する。
【００４９】
音声ガイドとしては、例えば、操作入力部１１９あるいはリモートコントローラ１２１によって、ある操作をした場合に、それによってテレビジョン受像機１００がいかなる動作を行うかという内容のものであり、例えば、リモートコントローラ１２１の録画ボタン２１４を操作した際には、「録画を開始する」旨のメッセージが発せられ、その後、停止ボタン２１２を操作した場合には、「録画を停止する」旨のメッセージが発せられる。
【００５０】
さらに再生ボタン２１３を操作すれば、「再生を開始する」旨のメッセージが発せられ、その後停止ボタン２１２が操作されたら、「再生を停止します」のメッセージが発せられるように構成されている。
【００５１】
すなわち、システムコントローラ１０６が、テレビジョン受像機１００が、いかなる動作状態からいかなる状態に変わったかということを判別してそれに合致した内容の音声データを選択し、音声に変換して報知するものである。
【００５２】
この目的のため、音声データとしては、テレビジョン受像機１００の動作パターンに即した複数のデータが予めＲＯＭ１１５に記憶されている。さらに、実際に音声として発せられる声の種類も、例えば、女性の声、男性の声等、複数の種類から選択可能に構成されている。
【００５３】
例えば、蓄積部１１７による録画／再生に関する音声ガイドとしては、図３に示すように、ＲＯＭ１１５に、ガイド文３０１として、再生動作用として「再生を開始します」から「逆スロー再生を実行します」まで８種類のデータが登録され、録画動作用として「録画を開始します」から「録画を再開します」まで、４種類のデータが登録されている例に基づいて説明する。
【００５４】
各ガイド文３０１は、識別番号３０２で特定可能であり、さらに付加情報として、声の種類を示す情報３０３が対で登録されている。識別番号は、「再生を開始します」のＰ００１から一連番号が付され、「逆スロー再生を実行します」ではＰ００８となる。また、同様に「録画を開始します」がＲ００１で、「録画を再開します」のＲ００４まで一連番号が付されている。
【００５５】
声の種類は、図４に示すように、音声種類４０１として「女性」、「男性」、「大阪弁」、「ユーザオリジナル」、「ダウンロード」及び「メディア」に区分され、それぞれ符号４０２で特定可能に構成されている。
【００５６】
すなわち、女性は「Ｆ」、男性は「Ｍ」、大阪弁は「ＯＳＫ」、ユーザオリジナルは「ＯＲＧ」、ダウロードは「ＮＥＴ」、メディアは「ＭＤＡ」である。
【００５７】
図３においては、音声種類３０３として「Ｆ」が付されているため、女性の声であることを示している。  
図４において、「女性」〜「大阪弁」まではテレビジョン受像機１００の出荷時に予めＲＯＭ１１５に記憶されているデータであり、「ユーザオリジナル」はユーザが録音等によって登録したデータであり、「ダウンロード」はインターネット１２８によってサーバ１２９から取得して登録したデータであり、「メディア」は例えばメモリカード１２５から取り込んだデータである。テレビジョン受像機１００の製造過程において、登録されたデータ以外のデータについては、その登録手順を後で順を追って説明する。
【００５８】
次に、音声ガイドを実行させるための手順について説明する。まずユーザは、リモートコントローラ１２１のメニューボタン２０７を操作して、設定メニューをディスプレイ１１２に画面表示させる。すなわち、リモートコントローラ１２１のメニューボタン２０７が操作されることによって、システムコントローラ１０６は、グラフィックプロセッサ１０９を駆使して、テレビジョン受像機１００の各種設定を行うための、例えば図５に示すメニュー画面を表示させるための信号を生成し、これを合成器１０９を介してＡ／Ｖエンコーダ１１１に送り、ディスプレイ１１２で表示させる。
【００５９】
図５において、画面５０１には、設定項目として「音声ガイド設定」５０２を含む４個の項目を有する設定メニューが表示されており、ユーザはリモートコントローラ１２１のカーソルボタン２０５を操作して、斜線で示すカーソル５０３を「音声ガイド設定」に合わせ、決定ボタン２０６を操作する。
【００６０】
システムコントローラ１０６は、それを受けて、図６に示す音声ガイドの具体的設定を実行するための画面表示を構成する信号を生成して、ディスプレイ１１２でそれを表示させる。
【００６１】
図６において、画面６０１には、まず、音声ガイドを実行させるか否かの設定状態を示す表示６０２がなされており、斜線で示すカーソル６０３が「オン」に位置していれば、音声ガイドを実行するように設定されていることを示している。また、「オフ」に位置していれば、音声ガイドを実行しないように設定されていることを示している。例えば、工場出荷状態では、「オフ」に設定されている。
【００６２】
音声ガイドを実行させるように設定を変えるには、ユーザは、リモートコントローラ１２１のカーソルボタン２０５によってカーソル６０３を「オン」に合わせて、決定ボタン２０６を操作する。それによって、音声ガイドを実行させるための設定が行われる。
【００６３】
図６において、次の選択項目は、声の種類の選択項目６０４であり、音声ガイドを行うように設定されている状態で、選択されている声の種類がカーソル６０５で示される。この場合も、工場出荷時には、例えば「女性の声」に設定されている。
【００６４】
声の種類を変える場合、ユーザは、カーソルボタン２０５で所望の声の種類にカーソル６０５を移動させて、決定ボタン２０６を操作する。それによって、システムコントローラ１０６は、音声ガイドを実行させるというデータと、選択された音声種類を示す符号データをＲＯＭ１１５に書き込む。
【００６５】
以上のようにして音声ガイドの設定が完了し、ユーザがリモートコントローラ１２１の終了ボタン２０９を操作することで、システムコントローラ１０６は、設定メニューの表示を停止させる。
【００６６】
以上説明したように、音声ガイドを実行させるべく設定し、かつ声の種類として「女性」が選択されたテレビジョン受像機１００において、例えば、リモートコントローラ１２１の再生ボタン２１３を操作したとすると、システムコントローラ１０６は、それを受けて、まず、ＲＯＭ１１５に記憶された設定データを参照し、女性の声による音声ガイドを実行することが設定されていることを認識する。
【００６７】
そして、再生ボタン２１３の操作に対応した、識別番号Ｐ００１のガイド文の女性の声のデータをＲＯＭ１１５から読み出して、バス１０５を介して音声信号処理部１２２に送る。音声信号処理部１２２で音声信号にデコードし、Ａ／Ｖエンコーダ１１１を介して音声出力部１１３から音声として出力する。これによって、ユーザは、自分の操作によってテレビジョン受像機１００の蓄積部１１７に録画された番組の再生動作が開始されたことを音によって認識することができる。
【００６８】
次に、リモートコントローラ１２１の一時停止ボタン２１１を操作したとすると、システムコントローラ１０６は、それまで再生動作が実行されており、新たに一時停止ボタンが操作されたことで、ガイド文として識別番号Ｐ００３の「再生を一時停止します」を選択し、女性の声のデータをＲＯＭ１１５から読み出して、音声信号処理部１２２、Ａ／Ｖエンコーダ１１１を介して音声出力部１１３から音声として出力する。
【００６９】
以上のように、システムコントローラ１０６は、リモートコントローラ１２１の操作ボタンが操作される毎に、それまでいかなる動作状態であったかということと、新たにいかなるコマンドのボタンが操作されたかにより、ガイド文を選択し、かつ設定された声の種類のガイド文データをＲＯＭ１１５から読み出して音声として出力するものであり、常に正確なガイド文を選択して出力することができるものである。
【００７０】
次に、ガイド文のデータとして、ユーザが生成したデータすなわち、録音した音声信号に基づくデータを生成する過程について説明する。
【００７１】
すなわち、図６に示す音声ガイド設定画面６０１で、音声種類として「ユーザが録音した声」が選択された場合、システムコントローラ１０６は、ＲＯＭ１１５に、ユーザが録音した音声に基づくデータが記憶されているか否かを判別し、記憶されていない場合には、図７に示す画面表示をディスプレイ１１２に行う。すなわち、その画面７０１にはデータが存在しないことを示す文と、選択項目として「録音実行」７０２及び「設定中止」７０３が表示され、カーソル７０４によって選択するように構成されている。
【００７２】
また、ＲＯＭ１１５に、録音したデータが既に記憶されている場合には、システムコントローラ１０６は、図８に示す設定画面をディスプレイ１１２に表示させる。図８においては、画面８０１に選択項目として、録音済の内容を確認する「録音内容確認」８０２と、新規に録音を行う「新規録音」８０３と設定を中止する「設定中止」８０４が表示され、それらをカーソル８０５によって選択するものである。
【００７３】
さて、図７で「録音実行」が選択され、あるいは図８で「新規録音」が選択されたとすると、システムコントローラ１０６は、例えば図９に示す録音実行のための画面をディスプレイ１１２に表示し、かつ音声信号処理部１１３をマイクロフォン１２３からの信号を受けるように設定する。
【００７４】
図９は、再生に関する音声ガイドを録音するための画面表示の例であり、画面９０１には、カーソルが移動している文章をマイクに向かって読み上げてから決定ボタン２０６を押すようにとの指示が表示されており、さらに、再生に関するガイド文９０２が表示され、その最初の項目「再生を開始します」にカーソル９０３が位置している。
【００７５】
ユーザは、まずマイクロフォン１２３のスイッチをオンにして、「再生を開始します」と読み上げてから、リモートコントローラ１２１の決定ボタン２０６を操作する。それによって、システムコントローラ１０６は、音声処理部１２２を駆使して、入力された音声信号をデジタル信号に変換してから所定の圧縮処理を行い、かつ識別番号「Ｐ００１」と音声種類を示す記号「ＯＲＧ」を付して、ガイド文データとしてＲＯＭ１１５に記録する。
【００７６】
その後、システムコントローラ１０６はカーソル９０３を次のガイド文に移動させ、ユーザがマイクロフォン１２３に向かって読み上げて、決定ボタン２０６を操作したら、同様に処理し、かつ識別番号「Ｐ００２」と種類情報「ＯＲＧ」を付加してＲＯＭ１１５に記録させる。
【００７７】
そのようにして再生に関する全てのガイド文の録音が完了したら、システムコントローラ１０６は、図１０に示す画面をディスプレイ１１２に表示させる。すなわち、画面１００１には、再生に関する全項目の録音が完了した旨のメッセージと、録音内容の確認の要否のメッセージが表示され、選択項目として「はい」１００２と「いいえ」１００３が表示されている。カーソル１００４によって例えば「はい」を選択して決定ボタン２０５を操作すると、録音したガイド文が順次ＲＯＭ１１５から読み出されて音声として出力される。
【００７８】
「いいえ」１００３を選択した場合には、録画に関する音声ガイドの録音処理に移り、システムコントローラ１０６は、図１１に示す画面をディスプレイ１１２に表示させる。
【００７９】
図１１においても、図９と同様に、画面１１０１に、カーソルが移動している文章をマイクに向かって読み上げてから決定ボタンを押すようにとの指示が表示されており、さらに、録画に関するガイド文１１０２が表示され、その最初の項目「録画を開始します」にカーソル１１０３が位置している。
【００８０】
ユーザは、まずマイクロフォン１２３に向かって、「録画を開始します」と読み上げてから、リモートコントローラ１２１の決定ボタン２０６を操作する。それによって、システムコントローラ１０６は、音声処理部１２２を駆使して、入力された音声信号をデジタル信号に変換してから所定の圧縮処理を行い、かつ識別番号「Ｒ００１」と音声種類を示す記号「ＯＲＧ」を付して、ガイド文データとしてＲＯＭ１１５に記録する。
【００８１】
その処理が済むと、カーソル１１０３が、次のガイド文に移動して同様な録音処理が実行される。全てのガイド文の録音が完了したら、システムコントローラ１０６は、図１２に示す画面をディスプレイ１１２に表示させる。すなわち、画面１２０１には、録画に関する全項目の録音が完了したを示すメッセージと、録音内容の確認の要否の選択項目として「はい」１２０２と「いいえ」１２０３が表示されている。カーソル１２０４によって例えば「はい」を選択して決定ボタン２０５を操作すると、録音したガイド文が順次ＲＯＭ１１５から読み出されて音声として出力される。
【００８２】
「いいえ」１２０３を選択した場合には、次のガイド文の録音処理に移り、次のガイド文がなければ、処理を終了する。
【００８３】
また、図６の画面で「インターネットでダウンロードした声」が選択されたら、システムコントローラ１０６は、まず、ＲＯＭ１１５にダウンロードしたデータが保存されているか否かを判別し、データが保存されていない場合には、図１３に示す画像をディスプレイ１１２に表示させる。すなわち、画面１３０１には、データが存在しないからダウンロードをして下さいとのメッセージが表示され、選択項目として「ダウンロード実行」１３０２と「設定中止」１３０３が表示されている。
【００８４】
カーソル１３０４によって、「ダウンロード実行」１３０２を選択して決定ボタン２０６を操作すると、システムコントローラ１０６は、図１４に示す画面をディスプレイ１１２に表示させる。すなわち、画面１４０１にリモートコントローラ１２１のインターネットボタン２１０を操作するようにとのメッセージとそれによってアクセスされるＵＲＬ（Uniform Resource Locator）１４０２が表示されている。
【００８５】
ユーザが、リモートコントローラ１２１のインターネットボタン２１０を操作すると、システムコントローラ１０６は、ＨＴＭＬブラウザを立ち上げると共に、通信Ｉ／Ｆ１２６を駆使してインターネット１２８に接続し、サーバ１２９内の図１４に示すＵＲＬへアクセスする。
【００８６】
次に、システムコントローラ１０６は、図１４に示すＵＲＬのウェブページのデータを取り込んで図１５に示す画面をディスプレイ１１２に表示させる。
【００８７】
図１５において、画面１５０１には、テレビジョン受像機の型名のリスト１５０２と、各型名に対応したダウンロードボタン１５０３が表示され、ユーザは、視聴しているテレビジョン受像機１００の型名に対応したダウンロードボタンにカーソル１５０４を合わせて決定ボタン２０６を操作する。
【００８８】
それによって、システムコントローラ１０６は、通信Ｉ／Ｆ１２６及びインターネット１２８を介して、サーバ１２９から音声ガイドデータをダウンロードし、これをバス１０５を介してＲＯＭ１１５に記録させる。サーバ１２９に蓄積された音声ガイドデータは、図３，４に示すようにガイド文と識別番号と、ダウンロードによって取得した音声であることを示す符号「ＮＥＴ」とで構成されるデータである。
【００８９】
全てのデータのダウンロードが完了すると、システムコントローラ１０６は、図１６に示す画面をディスプレイ１１２に表示する。すなわち、画面１６０１にテレビジョン受像機ＴＶ−１０００、ＴＶ−１５００、ＴＶ−１９００の音声ガイドデータのダウンロードが完了した旨のメッセージが表示されている。ユーザはリモートコントローラ１２１の終了ボタン２０９を操作することによって、音声ガイド設定処理が終了する。
【００９０】
また、図６の画面で「メモリカードから取り込んだ声」が選択されたら、システムコントローラ１０６は、まず、ＲＯＭ１１５にメモリカード１２５から取り込んだデータが保存されているか否かを判別し、データが保存されていない場合には、図１７に示す画像をディスプレイ１１２に表示させる。すなわち、画面１７０１に、データが存在しないからデータを取り込んで下さいとのメッセージが表示され、選択項目として「取り込み実行」１７０２と「設定中止」１７０３が表示されている。
【００９１】
カーソル１７０４によって、「取り込み実行」１７０２を選択して決定ボタン２０６を操作すると、システムコントローラ１０６は、図１８に示す画面をディスプレイ１１２に表示させる。すなわち、画面１８０１にメディアカードを装着して下さいとのメッセージと、選択項目として「取り込み開始」１８０２と「設定中止」１８０３が表示される。
【００９２】
ユーザは、音声ガイドデータが書き込まれたメモリカード１２５をカードＩ／Ｆ１２４に装着して、カーソル１８０４によって「取り込み開始」１８０２を選択して、決定ボタン２０６を操作すると、システムコントローラ１０６は、メモリカード１２５からデータを読み出して、バス１０５を介して、ＲＯＭ１１５に記録させる。この場合の音声ガイドデータは、図３，４に示すようにガイド文と識別番号と、メディアから取り込んだデータであることを示す符号「ＭＤＡ」とで構成されるデータである。
【００９３】
メモリカード１２５の全てのデータを、ＲＯＭ１１５に書き込んだら、システムコントローラ１０６は、図１９に示す画面をディスプレイ１１２に表示する。すなわち、画面１９０１にデータの取り込みが完了した旨のメッセージが表示され、ユーザはリモートコントローラ１２１の終了ボタン２０９を操作することによって、音声ガイド設定処理が終了する。
【００９４】
以上説明した実施の形態によれば、テレビジョン受像機１００の動作状態が変更される際に、システムコントローラが変更前の状態に基づいて、ガイド文を選択し、変更されることによっていかなる動作を行うかが音声で報知されるようにすると共に、その声を複数の種類から選択できるようにしたので、電子機器の動作状態に即した適切で、かつ容易に理解できる音声ガイドを実行することができるものである。
【００９５】
なお、以上の実施の形態においては、音声ガイドの声の種類は、どれか１種類のものを選択するようにしたが、ガイド文の内容に応じて、声の種類を選択するように構成してもよい。
【００９６】
例えば、図２０に示すように、図６に示す音声ガイド設定画面の声の選択項目２００４に、「自由選択」の項目を設け、これを選択した場合に、図２１に示すように、各ガイド文毎に、ガイド音声の種類を設定できるように構成することも可能である。
【００９７】
すなわち、図２１では、画面２１０１の音声種類設定欄２１０２にカーソル２１０３が移動し、例えばリモートコントローラ１２１のカーソルボタン２０６の内、横方向のカーソルボタンを操作することで、種類が「女性」−「男性」…「メディア」とサイクリックに切換わり、所望の種類が表示された際に、カーソルボタン２０５の垂直方向ボタンを操作して次のガイド文に移動させて、同様に種類を変える。全ての種類について所望の種類が選択されたら、決定ボタン２０６を操作することで、その内容でＲＯＭ１１５に登録される。
【００９８】
図２０及び図２１に示す実施の形態では、ガイド文毎に、声の種類を選択することができるので、ユーザにとってはより分かりやすいガイドを実行させることができるものである。
【００９９】
さらにまた、本発明のガイド文の音声は、日本語に限定されず世界主要言語を選択できるように構成することもできる。その場合、例えば、図６に示す音声ガイド設定画面に、選択項目として言語の種類を加えればよい。
【０１００】
以上のように本発明によれば、電子機器の動作状態を監視し、異なる動作状態に切換えられた際に、正しい音声ガイドデータを選択して、音声として報知することができるように構成したため、ユーザは、誤操作することなく常に所望の動作を電子機器に行わせることができるものである。
【０１０１】
また、音声の種類を、複数種類の中から選択することができるため、適切で分かり易い音声ガイドを実行させることができるものである。
【図面の簡単な説明】
【０１０２】
【図１】本発明に係る電子機器の一実施の形態を示す回路ブロック図。
【図２】図１に示す装置に適用されるリモートコントローラのボタン配列の一例を示す図。
【図３】本発明に係る電子機器に蓄積される音声ガイドデータの構成を説明するための図。
【図４】図３に示す音声ガイドデータの一部をさらに詳しく説明するための図。
【図５】図１に示す装置の音声ガイド設定手順を説明するための図。
【図６】図１に示す装置の音声ガイド設定手順を説明するための図。
【図７】図１に示す装置の音声ガイドデータを登録する手順の一実施形態を説明するための図。
【図８】図１に示す装置の音声ガイドデータを登録する手順の一実施形態を説明するための図。
【図９】図１に示す装置の音声ガイドデータを登録する手順の一実施形態を説明するための図。
【図１０】図１に示す装置の音声ガイドデータを登録する手順の一実施形態を説明するための図。
【図１１】図１に示す装置の音声ガイドデータを登録する手順の一実施形態を説明するための図。
【図１２】図１に示す装置の音声ガイドデータを登録する手順の一実施形態を説明するための図。
【図１３】図１に示す装置の音声ガイドデータを登録する手順の他の実施形態を説明するための図。
【図１４】図１３に示す装置の音声ガイドデータを登録する手順をさらに説明するための図。
【図１５】図１３に示す装置の音声ガイドデータを登録する手順をさらに説明するための図。
【図１６】図１３に示す装置の音声ガイドデータを登録する手順をさらに説明するための図。
【図１７】図１に示す装置の音声ガイドデータを登録する手順のさらに他の実施形態を説明するための図。
【図１８】図１７に示す装置の音声ガイドデータを登録する手順をさらに説明するための図。
【図１９】図１７に示す装置の音声ガイドデータを登録する手順をさらに説明するための図。
【図２０】図１に示す装置の音声ガイドデータを登録する手順のさらに他の実施形態を説明するための図。
【図２１】図２０に示す装置の音声ガイドデータを登録する手順をさらに説明するための図。
【符号の説明】
【０１０３】
１００…テレビジョン受像機
１０１…アンテナ
１０２…アンテナ入力端子
１０３…チューナ
１０４…復調部
１０５…バス
１０６…システムコントローラ
１０７…デマルチプレクサ
１０８…デコーダ
１０９…合成器
１１０…グラフィックプロセッサ
１１１…Ａ／Ｖエンコーダ
１１２…ディスプレイ
１１３…音声出力部
１１４…ＲＡＭ
１１５…ＲＯＭ
１１６…Ｉ／Ｆコントローラ
１１７…蓄積部
１１８…キーボードＩ／Ｆ
１１９…操作入力部
１２０…赤外線受光部
１２１…リモートコントローラ
１２２…音声信号処理部
１２３…マイクロフォン
１２４…カードＩ／Ｆ
１２５…メモリカード
１２６…通信Ｉ／Ｆ
１２７…通信端子
１２８…インターネット
１２９…サーバ
【図１】
2005338665.tif 000003
【図２】
2005338665.tif 000004
【図３】
2005338665.tif 000005
【図４】
2005338665.tif 000006
【図５】
2005338665.tif 000007
【図６】
2005338665.tif 000008
【図７】
2005338665.tif 000009
【図８】
2005338665.tif 000010
【図９】
2005338665.tif 000011
【図１０】
2005338665.tif 000012
【図１１】
2005338665.tif 000013
【図１２】
2005338665.tif 000014
【図１３】
2005338665.tif 000015
【図１４】
2005338665.tif 000016
【図１５】
2005338665.tif 000017
【図１６】
2005338665.tif 000018
【図１７】
2005338665.tif 000019
【図１８】
2005338665.tif 000020
【図１９】
2005338665.tif 000021
【図２０】
2005338665.tif 000022
【図２１】
2005338665.tif 000023